(57)【要約】【課題】口腔内に挿入した時に、患者自身で口腔内に固定することができ、しかも、患者が口を開けた状態を楽に維持することができ、かつ、舌の動きを抑えて口腔内治療を楽にできるようにする。【解決手段】歯科用口腔内吸引器１０は、軸方向に延長するバイトブロック部１２と吸気板部１１とを有する。バイトブロック部１２は軸方向に延長する凹部（中空部）１２ａを有し、吸気板部１１は凹部１２ａに連通する吸気孔１１ａを有し、吸気孔１１ａは吸気板部１１の板面より多数の箇所１１ｂ1，１１ｂ2・・・で開口している。患者は、バイトブロック部１２の上下の溝１２Ｕ，１２Ｌに沿って上歯及び下歯で噛み、吸気板部１１を口腔奥部で舌の上を横切って位置させる。凹部１２ａに吸引チューブ３０を連結部２０にて連結し、バキューム装置で吸引する。口腔内の汚液は、吸気板部１１の上下に設けられた溝及び溝に開口した孔を通し、吸引チューブ３０より排出される。【選択図】図２
2006034305.tif 000002
【特許請求の範囲】
【請求項１】
軸方向に延長するバイトブロック部と該バイトブロック部の軸方向に一体的に連続する吸気板部とを有し、前記バイトブロック部は軸方向に延長する凹部を有し、前記吸気板部は前記凹部に連通する通気孔を有し、該通気孔は前記吸気板部の板面より多数の箇所で開口していることを特徴とする歯科用口腔内吸引器。
【請求項２】
前記吸気板部は、上下の面に溝を有し、該溝に前記通気孔が開口していることを特徴とする請求項１に記載の歯科用口腔内吸引器。
【請求項３】
前記溝を形成する壁板の上部に切り欠きを有することを特徴とする請求項２に記載の歯科用口腔内吸引器。
【請求項４】
請求項１乃至３のいずれかに記載の歯科用口腔内吸引器と、一端が前記バイトブロック部に設けられた凹部に着脱自在に装着されるチューブと、該チューブの他端が連結され、バキューム装置とからなることを特徴とする口腔内吸引装置。
【発明の詳細な説明】
【技術分野】
【０００１】
本発明は、口腔内吸引器具及び装置、より詳細には、歯科治療中に、口腔内に溜まった汚液等を吸引排出するための口腔内吸引器具及び装置に関する。
【背景技術】
【０００２】
歯科治療においては、歯科治療中に口腔内に溜まった汚液や汚物を吸引・排出するために、排唾管やバキューム管を用いているが、そのため、術者は片方の手を排唾管やバキューム管の操作にとられ、その分、歯科治療作業が妨げられていた。
【発明の開示】
【発明が解決しようとする課題】
【０００３】
本発明は、上述のごとき実情に鑑みてなされたもので、術者が排唾管やバキューム管の操作に煩わされることなく、両手をフルに歯科治療に使うことができるようにし、より迅速かつ適切な歯科治療を行うことができるようにすることを目的としてなされたものである。
【０００４】
更には、口腔内に挿入した時に、患者自身で口腔内に固定することができ、しかも、患者が口を開けた状態を楽に維持することができ、口腔内治療を楽にできるようにした口腔内吸引器を提供することを目的としてなされたものである。
【課題を解決するための手段】
【０００５】
請求項１の発明は、軸方向に延長するバイトブロック部と該バイトブロック部の軸方向に一体的に連続する吸気板部とを有し、前記バイトブロック部は軸方向に延長する凹部を有し、前記吸気板部は前記凹部に連通する通気孔を有し、該通気孔は前記吸気板部の板面より多数の箇所で開口していることを特徴としたものである。
【０００６】
請求項２の発明は、請求項１の発明において、前記吸気板部は、上下の面に溝を有し、該溝に前記通気孔が開口していることを特徴としたものである。
【０００７】
請求項３の発明は、請求項２の発明において、前記溝を形成する壁板の上部に切り欠きを有することを特徴としたものである。
【０００８】
請求項４の発明は、請求項１乃至３のいずれかに記載の歯科用口腔内吸引器と、一端が前記バイトブロック部に設けられた凹部に着脱自在に装着されるチューブと、該チューブの他端が連結され、バキューム装置とからなることを特徴としたものである。
【発明の効果】
【０００９】
術者が排唾管やバキューム管の操作に煩わされることなく、両手をフルに歯科治療に使うことができるようにし、より迅速かつ適切な歯科治療を行うことができる。
【００１０】
口腔内に挿入した時に、患者が噛むことによって、術者の手を煩わすことなく、患者自身で口腔内に固定することができ、しかも、患者が楽に口を開け続けることができる。
【００１１】
更に、従来、臼歯の治療の際、舌が邪魔で該舌の動きに注意を払いながら治療していたが、吸引部によって舌の動きを抑制することができるので、口腔内の治療がしやすくなり、より安全に治療することができる。
【発明を実施するための最良の形態】
【００１２】
図１は、本発明による歯科用口腔内吸引器の一実施例を説明するための要部構成図で、図１（Ａ）は軸方向断面図、図１（Ｂ）は吸引部（図１（Ａ）のＢ−Ｂ線）断面図、図１（Ｃ）はバイトブロック部（図１（Ａ）のＣ−Ｃ線）断面図を示し、図２は、図１に示した歯科用口腔内吸引器１０と、該口腔内吸引器１０に着脱自在に装着される連結用中空体２０と該中空体２０に連結された吸引チューブ３０とを示す外観図である。而して、本発明による口腔内吸引器１０は、軸方向に延長する吸気板部１１と該吸気板部１１の軸方向に一体的に連続するバイトブロック部１２とから成り、該バイトブロック部１２は軸中心に軸方向に延長する凹部（中空部）１２ａを有し、該凹部１２ａに連結用中空体２０を挿脱自在に挿入できるようになっており、吸気板部１１を口腔の奥部に入れ、バイトブロック部１２を噛むことによって固定するようになっている。バイトブロック部１２は、口を開けた状態をそのまま維持できる程度の高さ（又は径）に形成されており、歯科治療中、患者が口を開けているのを支える支持部材として機能し、これによって、患者は、歯科治療中、楽に口を開けていることができる。そのため、口腔内吸引器１０は、患者の口の大きさに応じて、大、中、小等何種類か準備しておき、患者の口の大きさに合ったものを適宜選択して使用するようになっている。
【００１３】
吸気板部１１の形状は、図１（Ｂ）（及び図２）に示すように、上下の面に軸方向に沿う溝１１Ｕ,１１Ｌを有し、軸中心部にはバイトブロック部１２の凹部（中空部）１２ａに連通する中央吸気孔１１ａを有し、この中央吸気孔１１ａは前記上下の溝１１Ｕ，１１Ｌに軸方向に沿う複数の点１１ｂ1，１１ｂ2，１１ｂ3・・・で開口している。従って、連結用中空体２０をバイトブロック部１２の凹部１２ａに挿入し、吸引チューブ３０を通して、図示しないバキューム装置等によって吸気すると、口腔内の汚液等は、溝１１Ｕ，１１Ｌ、開口１１ｂ1，１１ｂ2・・・、中央吸気孔１１ａを通して吸引され、連結用中空体２０及び吸気チューブ３０を通して排出される。なお、この吸気板部１１とバイトブロック部１２とは、好ましくは、一体形成でき、オートクレーブが可能で、しかも、バイトブロック部１２を噛みながら治療を受けるものであるため、噛み続けても疲労しにくいゴム系で弾力性がある、例えば、シリコーンゴム材などがよい（樹脂などの硬いものだと、顎が疲れる）。
【００１４】
バイトブロック部１２は、連結用中空体２０を挿脱自在に連結するための凹部１２ａを有するが、この凹部１２ａは、口腔内吸引器１０の大、小にかかわらず、同じ大きさに形成されており、全ての吸引器１０に対して、単一の連結用中空体２０を共通使用可能としている。
【００１５】
バイトブロック部１２は、口腔内に挿入した時に、口を開いた状態を維持するのに適した高さ（太さ）Ｈを有すればよく、好ましくは、図１（Ｃ）に示すように、上下に歯列に沿う溝１２Ｕ，１２Ｌを設け、この溝１２Ｕ，１２Ｌを上歯及び下歯に沿わせ、該溝の上下で噛むようにすると、バイトブロック部１２をより効果的に安定して噛むことができ、吸引器具１０をより確実に固定することができる。
【００１６】
図３は、上記歯科用口腔内吸引部を患者の口腔奥部に装着したときの様子を示す図で、図３（Ａ）は、本発明による口腔内吸引器を患者がバイトブロック１２を噛んでいる時の様子を横から見たときの図、図３（Ｂ）は、口腔の奥部において吸気板部１１が舌Ｔの上を横切って延長し、舌Ｔの動きを舌Ｔの上側から抑えている時の様子を示す図で、本発明において、吸気板部１１は、舌Ｔの動きを抑えるようにしているため、該吸気板部１１の長さＬは舌Ｔを横切る長さに略等しくなっており、かつ、その幅（高さ）Ｗは患者の口腔の奥部に入れた時に、上顎と下顎の間で挟み込んで抑えることのできる幅（高さ）になっている。
【００１７】
本発明による口腔内吸引器１０は、上述のようにして患者の口腔内奥部に装着され、連結用中空体２０及び吸引チューブ３０を通して図示しないバキューム装置に連結され、該バキューム装置を駆動することによって、口腔内に溜った汚液等を吸引・排出するものであり、口腔内に溜った汚液は吸気板部１１の上下の溝部１１Ｕ，１１Ｌに沿って効果的に吸引・排出されるものであるが、より効果的には、図１（Ａ）に破線にて示すように、溝１１Ｕ，１１Ｌを構成する壁板１１’に切り欠き部１１’’を設け、この切り欠き部１１’’からも吸引するようにすると、更に効果的に、吸引・排出することが可能になる。
【００１８】
吸引チューブ３０の先端は、開閉弁等を介して直接バキューム装置に連結するようにしてもよいが、図４に示すように、通常、歯科治療ユニットに設けられている排唾管やバキューム管に接続するようにしてもよいし、アダプタ５０を介して接続するようにしてもよく、その接続は、本発明による前記口腔内吸引器を使用することができるものなら何でもよい。
【図面の簡単な説明】
【００１９】
【図１】本発明による口腔内吸引器の一実施例を説明するための要部断面構成図である。
【図２】図１に示した口腔内吸引器の外観図である。
【図３】本発明による口腔内吸引器を患者の口腔内に入れた時の様子を示す図である。
【図４】本発明による口腔内吸引装置の全体構成の一例を示す斜視図である。
【符号の説明】
【００２０】
１０…口腔内吸引器、１１…吸気板部、１１ａ…吸気孔、１１ｂ1，１１ｂ2…開口、１２…バイトブロック部、１２ａ…凹部、２０…連結用中空体、３０…吸引チューブ、４０…排唾管又はバキューム管、５０…アダプタ。
【図１】
2006034305.tif 000003
【図２】
2006034305.tif 000004
【図３】
2006034305.tif 000005
【図４】
2006034305.tif 000006